(57)【要約】【課題】  従来の支脚器にあっては、患者が仰臥分娩時に助産師が解除する際や出産後の縫合手術の際に、患者が膝部分から股を閉じる方向に動いたり分娩施術の妨げになったり、また、ベッド状態から分娩状態への移行およびセッティングの煩わしさや、ベルトにクッション性や自由度が無いため圧迫感を与えるといった問題があった。【解決手段】  患者の下肢部を開脚、閉脚し、かつ、膝を折り曲げた状態で検診や分娩を行なう産科分娩台であって、アクチュエータ１１８によって患者の足載せ台１１４を起伏させ、該足載せ台の起伏に伴ってパイプフレーム１１が起伏し、該パイプフレームに対してハンモック式の下肢受け部材１１９を着脱自在に取付け、該下肢受け部材の脹ら脛受け部１１９ａが起立方向に変移された状態において患者の検診時や分娩時に患者の脹ら脛部が沈み込むように支持し、患者の下肢が左右方向への滑りを防止した産科分娩台の支脚器である。【選択図】        図１２
2011156010.tif 000002
【特許請求の範囲】
【請求項１】
患者の下肢部を開脚、閉脚し、かつ、膝を折り曲げた状態で検診や分娩を行なう産科分娩台であって、アクチュエータによって患者の足載せ台を起伏させ、該足載せ台の起伏に伴ってパイプフレームが起伏し、該パイプフレームに対してハンモック式の下肢受け部材を着脱自在に取付け、該下肢受け部材の脹ら脛受け部が起立方向に変移された状態において患者の検診時や分娩時に患者の脹ら脛部が沈み込むように支持し、患者の下肢が左右方向への滑りを防止したことを特徴とする産科分娩台の支脚器。
【請求項２】
前記下肢受け部材は足載せ台に載置する足裏受け部と一体に構成されていることを特徴とする請求項１記載の産科分娩台の支脚器。
【請求項３】
前記パイプフレームと前記足載せ台との起立角度を、パイプフレームの起立角度を足載せ台の起立角度よりも大きくしたことを特徴とする請求項１記載の産科分娩台の支脚器。
【発明の詳細な説明】
【技術分野】
【０００１】
本発明は、支脚器の脹ら脛部分をハンモック式のクッションとなし、該クッションで脹ら脛を受けるようにすることで、患者の脹ら脛部分のホールド性が向上して動きを抑制でき、かつ、患者にフィット感を与えることができる産科分娩台の支脚器に関する。
【背景技術】
【０００２】
従来における産科分娩台としては、例えば、特開２００２−２４８１３４号公報の発明がある。この発明に開示されている分娩台の支脚器にあっては、検診や分娩時に患者を仰臥状態となし、かつ、開脚状態にすると共に患者の膝窩部を股受けで、脹ら脛部を下肢受けで受けると共に特開２００６−３２５７０６号公報に開示されているようにバンドを使用して保持状態としたものである。
【先行技術文献】
【特許文献】
【０００３】
【特許文献１】特開２００２−２４８１３４号公報
【特許文献２】特開２００６−３２５７０６号公報
【発明の概要】
【発明が解決しようとする課題】
【０００４】
ところで、前記した支脚器にあっては、患者が仰臥分娩時に助産師が解除する際や出産後の縫合手術の際に、患者の膝部分が股を閉じる方向に動いたり分娩施術の妨げになったり、また、ベッド状態から分娩状態への移行およびセッティングの煩わしさや、ベルトにクッション性や自由度が無いため圧迫感を与える等の可能性が有るといった問題があった。
【０００５】
本発明は前記した問題点を解決せんとするもので、その目的とするところは、脹ら脛部分を含む下肢受け部材をハンモック式のシートで構成し、脹ら脛部の形状にフィットさせるようにしたことで、患者の足の内側や外側の両方の動きを抑制してホールド性の向上が図れると共に患者の足へのフィット感を与えることができる産科分娩台の支脚器を提供せんとするにある。
【課題を解決するための手段】
【０００６】
本発明の産科分娩台の支脚器は前記した目的を達成せんとするもので、請求項１の手段は、患者の下肢部を開脚、閉脚し、かつ、膝を折り曲げた状態で検診や分娩を行なう産科分娩台であって、アクチュエータによって患者の足載せ台を起伏させ、該足載せ台の起伏に伴ってパイプフレームを起伏し、該パイプフレームに対してハンモック式の下肢受け部材を着脱自在に取付け、該下肢受け部材の脹ら脛受け部が起立方向に変移された状態において患者の検診時や分娩時に患者の脹ら脛部が沈み込むように支持し、患者の下肢が左右方向への滑りを防止したことを特徴とする。
【０００７】
請求項２の手段は、前記した請求項１において、前記下肢受け部材は足載せ台に載置する足裏受け部と一体に構成されていることを特徴とする。
【０００８】
請求項３の手段は、前記した請求項１において、前記パイプフレームと前記足載せ台との起立角度を、パイプフレームの起立角度を足載せ台の起立角度よりも大きくしたことを特徴とする。
【発明の効果】
【０００９】
本発明の産科分娩台の支脚器は前記したように、下肢受け部材の脹ら脛受け部が起立方向に変移された状態において患者の検診時や分娩時に患者の脹ら脛部が沈み込むように支持したことにより、患者の下肢が左右方向への滑りを防止でき、特に、分娩時において患者の下肢が閉じられないことから分娩施術が容易になると共に従来のバンド等による固定に対して患者に苦痛を与えることがない。
【００１０】
また、下肢受け部材は足載せ台に載置する足裏受け部と一体に構成することで、脹ら脛受け部と足裏受け部とを別個に製作するよりも制作費が安価となり、かつ、支脚器への設置も従来のようにねじ等での締結作業がなく装着が簡単に行なえる。
【００１１】
さらに、パイプフレームと前記足載せ台との起立角度を、パイプフレームの起立角度が足載せ台の起立角度よりも大きくしたことで、患者の脹ら脛部の脹ら脛受け部によるホールド性が向上され、より確実に患者の脹ら脛部を固定状態で保持することが可能になる等の効果を有するものである。
【図面の簡単な説明】
【００１２】
【図１】本発明の産科分娩台の支脚器の一実施例を示すベッド状態の斜視図である。
【図２】図１の支脚器部分を除く側面図である。
【図３】支脚器を開脚した状態の斜視図である。
【図４】支脚器の開閉装置部分と支脚器部分の側面図である。
【図５】支脚器を閉脚した状態の開閉装置を示す平面図である。
【図６】支脚器を開脚した状態の斜視図である。
【図７】支脚器の開閉装置の要部を示す裏面図である。
【図８】支脚器を閉じ支脚器の下肢受けを屈曲した状態の斜視図である。
【図９】図９の支脚器を開脚した状態の斜視図である。
【図１０】支脚器の下肢受けをフラット状態とした側面図である。
【図１１】支脚器の下肢受けを屈曲状態とした斜側面である。
【図１２】図１１の要部を示す斜視図である。
【図１３】支脚器の下肢受けに帆布を装着した状態の斜視図である。
【図１４】図１３に患者の下肢を載置した状態の斜視図である。
【発明を実施するための形態】
【００１３】
以下、本発明の支脚器を備えた産科分娩台の概略を図１〜図３と共に説明する。
Ａは妊婦の検診や出産時に使用される分娩台にして、１は産婦人科等の床面に設置される基台、２は該基台１のボックス１ａ内に設けられた昇降用シリンダによって上下動する支持台、３は該支持台２に取付けられた腰受け、４は前記支持台２に対して背凭れ用シリンダ５によって起伏する背凭れである。なお、分娩台Ａを基台１に対して回転可能に取付け、フリー状態とロック状態となるように構成してもよい。
【００１４】
また、前記支持台２は前記基台１との間に設けられた１つの縦転用シリンダ６によって長手方向に所望の角度だけ縦転し、また、２つの横転用シリンダ７によって横方向に所望の角度だけ横転可能に構成されており、施術の状況に応じて患者を縦方向と横方向に傾斜可能に構成されている。
【００１５】
さらに、８は背凭れ４の両側に着脱自在に取付けられ患者の上半身を保護するサイドフェンス、９は出産時に患者が意気込む時に握る怒責グリップである。
【００１６】
次に、前記腰受け３の先端側に取付けられている支持板１０に取付けた一対の支脚器１１を開閉するための支脚器開閉装置の構造について図４〜図７と共に説明する。
【００１７】
一対の支脚器１１は支持板１０に水平方向に回動自在に取付けられた回動リンク１２の先端に取付けられており、該回動リンク１２の略中間位置に一端が支持板１０に軸支された公知である複動型の支脚器用シリンダ１３のロッド側が軸支されている。従って、支脚器用シリンダ１３のシリンダ内にロッドが伸びる側に油が供給されるとロッドが吐出され２つの支脚器１１は近接状態となり、また、シリンダ内のロッドが縮む側に油が供給されると離開されることとなる。
【００１８】
また、前記２つの支脚器用シリンダ１３は図示しない油圧ポンプから延長された１本の油パイプを途中で２本に分岐し、その分岐された油パイプの先端に取付けられ２つの支脚器用シリンダ１３に同時に油が供給され、あるいは排油される。また、回動リンク１２の回動軸部にはポテンショメーター１２ａが取付けられ、該ポテンショメーター１２ａの回転軸には前記支持板１０に固定されたギア１０ａが噛合され、回動リンク１２の回動量に応じて抵抗値が変化するように構成されている。また、前記油パイプにおける油圧ポンプと分岐点との間には電磁弁が取付けられている。
【００１９】
このような構成とすることで、図１、図５に示すように支脚器１１が閉じられている状態、すなわち、支脚器用油圧シリンダ１３内にロッドが伸びる側に油が滞留している状態において、支脚器用油圧シリンダ１３内のロッドが縮む側に油が供給されるとロッドがシリンダ内に移動するので、回動リンク１２は左右方向が離開する方向に回動される。従って、左右の支脚器１１は離開方向に回動される。
【００２０】
ところで、前記回動リンク１２が離開方向に回動されると、該回動リンク１２に取付けられているポテンショメーター１２ａの抵抗値がギア１０ａとの噛合によって一定の変化量で変化する。そして、この変化量を図示しない制御回路で常に監視し、何らかの原因、例えば、人や干渉物が一方の支脚器１１に当たった場合には回動リンク１２の回動速度に変化が生じ、その結果、ポテンショメーター１２ａの抵抗値変化量が異なる状態となる。
【００２１】
なお、１つの支脚器１１に人や干渉物が当たった側の支脚器用油圧シリンダ１３には油が流れ難くなった分だけ、他の支脚器用油圧シリンダ１３に余分に油が流れ込むことになるが、前記ポテンショメーター１２ａが抵抗値変化量を検出したことにより制御回路は電磁弁への通電を停止する。従って、外力が加わった回動リンク１２への油の供給が停止されると同時に外力が加わらなかった回動リンク１２への油の供給も停止されるので、２つの回動リンク１２は同時に回動動作が停止されるので、２つの支脚器１１は略同じ離開角度で停止することとなる。
【００２２】
次に、支脚器１１が図３、図６、図７に示す離開状態から近接状態に変移させるには、前記油パイプに設けられている電磁弁を開放することでロッドが伸びる側に油が供給されるので、支脚器用油圧シリンダ１３が複動シリンダであることから、ロッドはシリンダから吐出される方向に移動する。この移動によって、回動リンク１２はそれぞれ近接方向に回動され、この回動リンク１２の移動に伴って支脚器１１も近接方向に変移する。
【００２３】
この近接方向への変移時において、一方の支脚器１１に人や干渉物が当接して支脚器１１に外力が作用すると、前記した離開方向への変移時と同様にしてポテンショメーター１２ａの抵抗値変化量が異なることから制御回路が電磁弁への通電を停止し、支脚器用油圧シリンダ１３への油の供給および支脚器用油圧シリンダ１３からの油の排出を停止して支脚器１１の近接方向への移動を停止する。また、この電磁弁への通電停止に伴って他の支脚器用油圧シリンダ１３への油の供給および支脚器用油圧シリンダ１３からの油の排出が停止されるので、支脚器１１の移動も停止することとなる。
【００２４】
なお、前記した実施例では、支脚器用油圧シリンダ１３への油の供給と排油を停止するための電磁弁を油圧ポンプと分岐点との間の油パイプに設けた場合について説明したが、該電磁弁を油パイプの分岐部分にそれぞれ取付けることで、何れか一方のポテンショメーター１２ａの抵抗値が異常に変化した時に、該異常を検出かた側の支脚器用油圧シリンダ１３に接続されている側の電磁弁のみを停止するようにしてもよい。
【００２５】
このような構成とすることで、例えば、患者の一方の脚力に問題があるような場合に、該脚力に問題がある下肢を受けている支脚器１１のみを停止することで患者の開脚角度が大きくなるので施術が行い易くなる。また、施術中に医師等が患者の一方の下肢のみの開脚角度を変更したいような場合には、前記各別に接続されている電磁弁を外部から操作可能する構造とすることで、患者の開脚度合いを自由に変更して施術がやり易くなるものである。
【００２６】
なお、前記した実施例では、回動リンク１２の回動異常をポテンショメーター１２ａの抵抗値変化で検出した場合について説明したが、ポテンショメーター１２ａに変えて回動リンク１２の回動時に発生する圧力を検出する圧力センサ、ロータリーエンコーダ、タコジェネレータ等のセンサや、それぞれの支脚器用油圧シリンダ１３に繋がる油パイプ内油圧センサであってもよい。
【００２７】
次に、支脚器１１の具体的な構成について図８〜図１４と共に説明する。
支脚器１１は前記した回動リンク１２の先端に固定された支柱１１１に固定板１１２が固定されており、該固定板１１２の両端には後述する一対のパイプフレーム１１３と、患者の足裏を載せるための足載せ台１１４を軸支するための取付部材１１５が取付けられている。また、前記固定板１１２の前記パイプフレーム１１３側には水平方向に伸びる受け台１１６が固定されている。
【００２８】
パイプフレーム１１３と足載せ台１１４は取付部材１１５に相対向して回動自在に軸支され、かつ、パイプフレーム１１３と足載せ台１１４との対向部には連結リンク１１７で連結されている。また、前記取付部材１１５の裏面から垂下された垂下片１１５ａにはガスシリンダ１１８のシリンダ側が軸支され、該ガスシリンダ１１８のロッド側が足載せ台１１４の先端に軸支されている。なお、ガスシリンダ１１８には解除レバー１１８ａが設けられており、該解除レバー１１８ａを操作するとロッドがシリンダより吐出して足載せ台１１４を図１０、図１１において反時計方向に回動する。
【００２９】
そして、足載せ台１１４が反時計方向に回動されると、連結リンク１１７が変移することでパイプフレーム１１３が時計方向に回動され足載せ台１１４とパイプフレーム１１３とはＶ字状態となる。なお、このＶ字状態において、足載せ台１１４に対してパイプフレーム１１３の方が鋭角状態となるように連結アーム１１７によって調整されている。
【００３０】
１１９は下肢受け部材にして、帆布等のシート材で構成したハンモック式の脹ら脛受け部１１９ａと足裏受け部１１９ｂとより構成されている。脹ら脛部１１９ａ内には患者の脹ら脛を支持した時に湾曲形状となるよう僅かな量のクッション材が挿入され、かつ、裏面側に前記したパイプフレーム１１３を差し込むための筒状部１１９ｃが形成されている。
【００３１】
また、足裏受け部１１９ｂは前記脹ら脛部１１９ａと折り込み部１１９ｄを介して連結されており、脹ら脛受け部１１９ａの筒状部１１９ｃをパイプフレーム１１３に差し込んだ状態で前記した足載せ台１１４の上面に載置されるように構成されている。なお、足裏受け部１１９ｂ内にもクッション材が挿入されている。
【００３２】
前記した下肢受け部材１１９は脹ら脛受け部１１９ａと足裏受け部１１９ｂとを一体化したものとすることで、脹ら脛受け部１１９ａをパイプフレーム１１３に差し込むことで、足裏受け部１１９ｂを足載せ台１１４に載置するだけで患者の脹ら脛と足先を支持することができ、従って、脹ら脛受け部１１９ａと足裏受け部１１９ｂとを別個に製作するよりも簡単で、かつ、支脚器１１への設置も簡単に行なえるという利点を有するが、必ずしも、一体化する必要はなく足裏受け部１１９ｂを足載せ台１１４を別個に製作し、足裏受け部１１９ｂを足載せ台１１４に紐等で固定してもよい。
【００３３】
次に、支脚器１１の動作について説明するに、図１に示す分娩台に患者が仰臥状態で乗り、あるいは背凭れ４が起立した椅子の状態で乗る。この時は、支脚器１１は近接状態となっている。
【００３４】
この状態から検診を受けたり分娩を行なう場合には、支脚器１１を前記した支脚器開閉装置によって図３に示す患者の足が開脚状態となるように離開状態とする。この状態において医師や看護師がガスシリンダ１１８の解除レバー１１８ａを操作するとガスシリンダ１１８のロッドが吐出して足載せ台１１４が取付部材１１５に軸支された部分より起立方向に変移される。
【００３５】
この足載せ台１１４の変移に伴って連結リンク１１７を介してパイプフレーム１１３が受け台１１６から離れる方向に起立する。そして、ガスシリンダ１１８のロッドが最終位置まで吐出した状態で足載せ台１１４とパイプフレーム１１３の起立は解除レバー１１８ａを戻すことで最大限の状態となって停止する。
【００３６】
この状態において患者の脹ら脛部はパイプフレーム１１３に取付けられた下肢受け部材１１９における脹ら脛受け部１１９ａによって支持され、また、足裏は足裏受け部１１９ｂに載置された状態となる。
【００３７】
ところで、患者の脹ら脛部が脹ら脛受け部１１９ａによって支持されるが、脹ら脛受け部１１９ａはハンモック式となっているので、患者の脹ら脛部を湾曲状態で支持して脹ら脛部が沈み込むことになる。従って、脹ら脛部を患者が動かそうと思っても左右方向への滑りが防止されるので、患者はフィット感を得た状態で常にホールドされることとなり、検診や分娩施術が容易に行なえるものである。
【００３８】
なお、パイプフレーム１１３と足載せ台１１４との起立角度を、パイプフレーム１１３の起立角度を足載せ台１１４の起立角度よりも大きくしたことにより、患者の脹ら脛部の脹ら脛受け部１１９ａによるホールド性が向上され、より確実に患者の脹ら脛部を固定状態で保持することが可能となる。また、筒状部１１９ｃがパイプフレーム１１３をスライドすることで、様々な患者の身長差による足の長さに対応でき、さらには、下肢受け部材１１９の傾動動作による足への当たり部分への変化にも対応できるようにしている。
【００３９】
そして、患者の検診や分娩が終了した後は、ガスシリンダ１１８の解除レバー１１８ａを操作すると共に足載せ台１１４を水平方向に戻すことで、下肢受け部材１１９は水平状態となり、また、支脚器開閉装置によって支脚器１１は近接状態となって患者の足は閉脚状態となる。
【００４０】
前記した下肢受け部材１１９が水平状態となった時に、前記下肢受け部材１１９における脹ら脛受け部１１９ａが受け台１１６に載った状態となることから、患者の脹ら脛は受け台１１６で支持されるので、患者の下肢は水平状態に維持され、かつ、脹ら脛受け部１１９ａは平坦な状態に戻される。
【００４１】
なお、前記した実施例にあっては、足載せ台１１４をガスシリンダ１１８によって起伏させるようにしたが、ガスシリンダに代えて油圧シリンダや電動機とギアとの組み合わせた他のアクチュエータを利用してもよい。
【符号の説明】
【００４２】
１１３      パイプフレーム
１１４      足載せ台
１１８      ガスシリンダ（アクチュエータ）
１１９      下肢受け部材
１１９ａ    脹ら脛受け部
１１９ｂ    足裏受け部
【図１】
2011156010.tif 000003
【図２】
2011156010.tif 000004
【図３】
2011156010.tif 000005
【図４】
2011156010.tif 000006
【図５】
2011156010.tif 000007
【図６】
2011156010.tif 000008
【図７】
2011156010.tif 000009
【図８】
2011156010.tif 000010
【図９】
2011156010.tif 000011
【図１０】
2011156010.tif 000012
【図１１】
2011156010.tif 000013
【図１２】
2011156010.tif 000014
【図１３】
2011156010.tif 000015
【図１４】
2011156010.tif 000016